(57)【要約】【課題】本体と爪車装置とを備え、滑り防止効果を有するラチェットレンチを提供すること。【解決手段】本体は操作部と、操作部につなぐ駆動部を有し、本体は駆動部に第１あごと、第２あごを設けられ、第２あごは第１あごの付近側に滑り防止部を設け、爪車装置は本体に接続され、爪車装置は滑り移動具と、ラチェットブロックとを含む、滑り移動具を本体の第２あごに移動自在に設け、ラチェットブロックは滑り移動具に接続され、ラチェットブロックは滑り移動具の付近側に滑り防止部を設け、ラチェットブロックの滑り防止部が選択により、第２あごの滑り防止部に接触するかまたは切り離し、ラチェットブロックの滑り防止部が第２あごの滑り防止部に接触することによって、爪車装置の移動を有効に防止され、使用者による工作物の安定な回しを提供し、レンチの回しトルクを向上できる。【選択図】図１
2016036901.tif 000002
【特許請求の範囲】
【請求項１】
滑り防止効果を有するラチェットレンチであって、
操作部と、前記操作部に接続する駆動部を有し、前記本体は前記駆動部に第１あごと、第２あごを設けられ、前記第１あごと前記第２あごが互いに対向していて、前記本体は前記第１あごと前記第２あごとの間に駆動空間を設けられ、前記第２あごは前記駆動空間の付近側に滑り止め部を設ける本体と、
前記本体に接続していて、摺動部材と、ラチェットブロックと、弾性具を含む、前記摺動部材を移動自在に前記本体の前記第２あごに設けられ、前記摺動部材が前記本体に対して移動することによって、前記操作部に近づけるかまたは引き離し、前記ラチェットブロックを前記摺動部材に接続し、前記ラチェットブロックは前記摺動部材の付近側に滑り防止部を設けられ、前記ラチェットブロックの滑り防止部は選択により前記第２あごの前記滑り防止部に近づけるかまたは引き離し、前記弾性具を前記摺動部材に接続する爪車装置と、を含むことを特徴とする、滑り防止効果を有するラチェットレンチ。
【請求項２】
前記第２あごの前記滑り防止部は複数の係合歯を有し、前記ラチェットブロックの前記滑り防止部に複数の係合歯を設け、前記係合歯の伸ばす方向は前記摺動部材が前記第２あごの滑り移動方向に垂直していて、前記ラチェットブロックの前記係合歯が選択により、前記第２あごの前記係合歯に噛み合わせるかまたは引き離すができ、前記第２あごが仮想貫通軸の軸方向に沿って貫通溝を設け、前記爪車装置は固定具を含む、前記摺動部材は第１側と、前記第１側の反対位置にある第２側を含む、前記摺動部材の前記第１側は、前記第２あごの付近場所に位置していて、かつ収容溝を設けられ、前記収容溝が前記摺動部材の前記第１側から前記第２側の方向に伸ばし、前記収容溝は操作部の付近端に縁止めを設けられ、前記操作部の遠端を前記貫通溝に連絡し、前記ラチェットブロックを前記摺動部材の前記第２側に接続され、前記弾性具を前記収容溝に設け、前記弾性具の一端を前記縁止めに係止していて、かつ他端は前記操作部を離れる方向に伸ばされ、前記固定具は前記仮想貫通軸の軸方向に沿って前記貫通溝に挿入し、前記固定具の一端を前記収容溝に設けると共に、前記弾性具が前記縁止めの遠端に係止することを特徴とする、請求項１記載の滑り防止効果を有するラチェットレンチ。
【請求項３】
前記第２あごは前記駆動空間の付近側に滑り溝を設け、前記第２あごの前記滑り溝が前記第２あごの遠端から前記操作部の方向に伸ばしていて、かつ前記駆動空間と互いに連絡しており、前記第２あごの前記滑り防止部と前記滑り溝が互いに連絡していて、前記摺動部材が移動自在に前記本体に備える前記第２あごの前記滑り溝に設けることを特徴とする、請求項２記載の滑り防止効果を有するラチェットレンチ。
【請求項４】
前記ラチェットブロックは、前記摺動部材の付近側に枢着部を設けられ、前記ラチェットブロックの前記枢着部が前記摺動部材に対して枢動することによって、前記操作部に近づけるかまたは引き離すように前記摺動部材に枢設して、前記ラチェットブロックの前記滑り防止部が選択により、前記摺動部材の前記第２側と前記第２あごの前記滑り防止部に近づけるかまたは引き離すことができ、前記ラチェットブロックの前記滑り防止部は前記枢着部が前記操作部の遠端に位置することを特徴とする、請求項３記載の滑り防止効果を有するラチェットレンチ。
【請求項５】
前記ラチェットブロックは前記摺動部材の付近側に弾性部材を設けられ、前記弾性部材は前記枢着部が前記操作部の付近側に位置し、前記弾性部材の反対する両端を合わせて前記ラチェットブロックと、前記摺動部材を押し込むことを特徴とする、請求項４記載の滑り防止効果を有するラチェットレンチ。
【請求項６】
前記弾性部材は圧縮ばねであることを特徴とする、請求項５記載の滑り防止効果を有するラチェットレンチ。
【請求項７】
前記滑り溝は、前記第１あごの付近側から前記第１あごの反対側までの距離が第１幅を形成し、前記摺動部材は前記第１あごの付近側から前記第１あごの反対側までの距離が第２幅を形成し、前記第２幅の長さが前記第１幅の長さの０．９５倍より小さく、前記ラチェットブロックが常に前記摺動部材の前記第２側に接続していて、かつ合わせて一体の構造を形成し、前記ラチェットブロックと前記摺動部材を合わせて、前記本体に対して移動できることを特徴とする、請求項３記載の滑り防止効果を有するラチェットレンチ。
【請求項８】
前記第２幅の長さは、前記第１幅の長さの０．８〜０．９倍の間であることを特徴とする、請求項７記載の滑り防止効果を有するラチェットレンチ。
【請求項９】
前記弾性具は、前記操作部の付近端が径方向に沿って第１直径を有し、前記弾性具は、前記操作部の遠端が径方向に沿って第２直径を有し、前記第２直径が前記第１直径より小さいことを特徴とする、請求項４ないし８記載の滑り防止効果を有するラチェットレンチ。
【請求項１０】
前記第１あごは前記駆動空間の付近側に駆動平面を設けられ、前記ラチェットブロックは前記第１あごの付近側に係止平面を設けられ、前記係止平面と前記駆動平面が互いに対向することを特徴とする、請求項９記載の滑り防止効果を有するラチェットレンチ。
【請求項１１】
前記第１あごは前記駆動空間の付近側に逃げ溝を設けられ、前記逃げ溝は前記駆動平面が前記操作部を離れる側に位置することを特徴とする、請求項１０記載の滑り防止効果を有するラチェットレンチ。
【請求項１２】
前記貫通溝を前記第２あごが前記駆動空間を離れる側に設け、前記仮想貫通軸が前記第１あごを通過し、前記貫通溝が前記第２あごを貫いていて、前記該滑り溝と互いに連絡することを特徴とする、請求項１１記載の滑り防止効果を有するラチェットレンチ。
【請求項１３】
前記本体の前記駆動部がおおむねにＵ字型を形成し、前記駆動空間が前記本体の前記駆動部の両側を貫き、前記弾性具は圧縮ばねであり、前記固定具は円柱状を形成することを特徴とする、請求項１２記載の滑り防止効果を有するラチェットレンチ。
【発明の詳細な説明】
【技術分野】
【０００１】
本発明は主にラチェットレンチに関し、特に組み立てが容易で、しかも滑り防止効果を有するラチェットレンチに関する。
【背景技術】
【０００２】
中華民国特許第Ｉ３０７６５２号（特許文献１）によれば、腹部と、前記腹部の一端から突き出す固定爪と、前記腹部の他端に設けていて、前記固定爪と合わせて所定間隔の鉗子口を形成する可動あごとを備える、退いて高速回転可能な両口スパナであって、前記腹部と前記可動あごの接合場所に半円より大きく、部分円形の断面を有する下部凹み溝と、前記可動あごと前記腹部のつなぎ合わせる場所に半円より小さい部分円形の断面を有し、その円径は前記下部凹み溝よりやや大きく、前記腹部の前記下部凹み溝を合わせて収容穴を形成する上部凹み溝と、前記可動あごと前記上部凹み溝の隣接場所に前記下部凹み溝の断面に対応する断面を有し、前記下部凹み溝に沿って線形運動される突起柱と、前記収容穴の内部に収容していて、前記可動あごの前記突起柱を常時に前記腹部に係止させ、前記腹部に対して弾性に線形移動し、所定の間隔を広げる弾性装置と、を備える特徴を有する。
【発明の概要】
【発明が解決しようとする課題】
【０００３】
しかし、前述両口スパナは正方向に回すときには、可動あごを確実に移動させないことはできない。もし、使用者が両口スパナを用いて工作物を回すときに可動あごが滑りだして、使用者が引き続きに両口スパナに力を加えると、工作物から抜け出してしまい、ついに使用者の手首の周辺にある他の物体にぶつかって怪我する恐れがある。使用者が怪我を避けるには、常に力の加減を注意することが必要であり、あまり大きい力量で回すことはできない。
【課題を解決するための手段】
【０００４】
本発明の主な目的は、滑り防止効果を有するラチェットレンチを提供する。本体と、爪車装置とを備える。本体は操作部と、操作部につなぐ駆動部を有し、本体は駆動部に第１あごと、第２あごを設けられ、第１あごと第２あごが互いに対向していて、本体は第１あごと第２あごとの間に駆動部を設けられ、第２あごは第１あごの付近側に滑り防止部を設け、第２あごが仮想貫通軸の軸方向に沿って貫通溝を設け、爪車装置は本体に接続され、爪車装置は摺動部材と、ラチェットブロックと、弾性具と、固定具とを含む。摺動部材を本体の第２あごに摺動自在に設け、摺動部材が本体に対して移動し操作部に近づけるかまたは引き離し、摺動部材は第１側と、第１側の反対側に位置する第２側を有し、摺動部材の第１側が第２あごの付近場所に位置していて、かつ収容溝を設けられ、収容溝は摺動部材の第１側から第２側の方向に伸ばされ、収容溝は操作部の付近端に縁止めを設けられ、操作部の遠端を貫通溝に連絡しており、ラチェットブロックは摺動部材の第２側に接続され、ラチェットブロックは摺動部材の付近側に滑り防止部を設け、ラチェットブロックの滑り防止部が選択により、第２あごの滑り防止部に近づけるかまたは引き離し、弾性具を収容溝に設け、弾性具の一端を縁止めに係止し、もう一端が操作部を離れる方向に伸ばしていて、固定具は仮想貫通軸の軸方向に沿って貫通溝に挿入し、固定具の一端を収容溝に設けて、かつ弾性具が縁止めの遠端に係止され、ラチェットブロックの滑り防止部が第２あごの滑り防止部に接触しているときには、爪車装置の移動を有効に防止し、使用者は工作物を安定に回すことができ、ラチェットレンチから提供された回しトルクを向上できる。
【発明の効果】
【０００５】
以下の説明内容から、本発明は以下の長所をまとめることができる。
【０００６】
本発明で提供される滑り防止効果を有するラチェットレンチは、本体と、爪車装置とを含む。本体は操作部と、操作部につなぐ駆動部を有し、本体は駆動部に第１あごと、第２あごを設けられ、第１あごと第２あごが互いに対向していて、本体は第１あごと第２あごとの間に駆動部を設けられ、第２あごは第１あごの付近側に滑り防止部を設けられ、第２あごが仮想貫通軸の軸方向に沿って貫通溝を設け、爪車装置は本体に接続され、爪車装置は摺動部材と、ラチェットブロックと、弾性具と、固定具とを含む。摺動部材を本体の第２あごに摺動自在に設け、摺動部材が本体に対して移動し操作部に近づけるかまたは引き離し、摺動部材は第１側と、第１側の反対側に位置する第２側を有し、摺動部材の第１側が第２あごの付近場所に位置していて、かつ収容溝を設けられ、収容溝は摺動部材の第１側から第２側の方向に伸ばされ、収容溝は操作部の付近端に縁止めを設けられ、操作部の遠端を貫通溝に連絡しており、ラチェットブロックは摺動部材の第２側に接続され、ラチェットブロックは摺動部材の付近側に滑り防止部を設け、ラチェットブロックの滑り防止部が選択により、第２あごの滑り防止部に近づけるかまたは引き離し、弾性具を収容溝に設け、弾性具の一端を縁止めに係止し、もう一端が操作部を離れる方向に伸ばしていて、固定具は仮想貫通軸の軸方向に沿って貫通溝に挿入し、固定具の一端を収容溝に設けて、かつ弾性具が縁止めの遠端に係止され、ラチェットブロックの滑り防止部が第２あごの滑り防止部に接触しているときには、爪車装置の移動を有効に防止し、使用者は工作物を安定に回すことができ、ラチェットレンチから提供された回しトルクを向上できる。
【図面の簡単な説明】
【０００７】
【図１】本発明の滑り防止効果を有するラチェットレンチの第１実施例の立体外観図である。
【図２】本発明の滑り防止効果を有するラチェットレンチの第１実施例の立体分解図である。
【図３】本発明の滑り防止効果を有するラチェットレンチの第１実施例の断面構造図である。
【図４】本発明の滑り防止効果を有するラチェットレンチの第１実施例における正方向回転の作動態様図である。
【図５】本発明の滑り防止効果を有するラチェットレンチの第１実施例における逆方向回転の作動態様図（その１）である。
【図６】本発明の滑り防止効果を有するラチェットレンチの第１実施例における逆方向回転の作動態様図（その２）である。
【図７】本発明の滑り防止効果を有するラチェットレンチの第２実施例の立体分解図である。
【図８】本発明の滑り防止効果を有するラチェットレンチの第２実施例の断面構造図である。
【図９】本発明の滑り防止効果を有するラチェットレンチの第３実施例の立体分解図である。
【図１０】本発明の滑り防止効果を有するラチェットレンチの第３実施例の断面構造図である。
【図１１】本発明の滑り防止効果を有するラチェットレンチの第３実施例における使用状態の作動態様図である。
【図１２】本発明の滑り防止効果を有するラチェットレンチの第４実施例の断面構造図である。
【発明を実施するための形態】
【実施例１】
【０００８】
図１ないし３、本発明の滑り防止効果を有するラチェットレンチの第１実施例による立体外観図と、立体分解図と、断面構造図を参照する。本考案のラチェットレンチ１０は本体２０と、ラチェット装置３０と、を備える。
【０００９】
そのうち、本体２０は操作部２１と、操作部２１につなぐ駆動部２２を有し、操作部２１は使用者の把持操作に備える。本体２０の駆動部２２がおおむねにＵ字型を形成し、本体２０は駆動部２２に第１あご２３と第２あご２４を設けられ、第１あご２３と第２あご２４が互いに対向していて、本体２０は第１あご２３と第２あご２４との間に駆動空間２５を設けており、駆動空間２５が本体２０の駆動部２２の両側に貫通されている。
【００１０】
第１あご２３は駆動空間２５の付近側に駆動平面２３１と、逃げ溝２３２を設けられ、逃げ溝２３２は駆動平面２３１が操作部２１を離れる側に位置していて、第２あご２４は駆動空間２５の付近側に滑り溝２４１と、滑り防止部２４２を設けられ、第２あご２４の滑り溝２４１は第２あご２４が操作部２１の遠端から操作部２１の方向に伸ばして、駆動空間２５と互いに連絡され、第２あご２４の滑り防止部２４２と滑り溝２４１が互いに隣接しており、第２あご２４の滑り防止部２４２に複数の係合歯２４３を有し、第２あご２４は駆動空間２５の遠端は仮想貫通軸Ｌの軸方向に沿って貫通溝２４４を設けられ、仮想貫通軸Ｌが第１あご２３の逃げ溝２３２を通過し、貫通溝２４４が第２あご２４を貫いていて、かつ滑り溝２４１と互いに連絡されている。
【００１１】
爪車装置３０は本体２０に接続され、爪車装置３０は摺動部材３１と、ラチェットブロック３２と、弾性具３３と、固定具３４とを含む。摺動部材３１が移動自在に本体２０の第２あご２４の滑り溝２４１に設けられ、摺動部材３１が本体２０に対して移動することによって、操作部２１に近づけるかまたは遠ざかり、摺動部材３１は第１側３１１と、第１側３１１の反対位置にある第２側３１２とを含む、摺動部材３１の第１側３１１は、第２あご２４の付近場所に位置していて、かつ収容溝３１３を設けられ、収容溝３１３は摺動部材３１の第１側３１１から第２側３１２の方向に伸ばして密閉状を形成され、収容溝３１３は操作部２１の付近端に縁止め３１４を設けられ、操作部２１の遠端は貫通溝２４４に連絡されている。
【００１２】
ラチェットブロック３２は摺動部材３１の第２側３１２に接続され、ラチェットブロック３２は摺動部材３１の付近側に枢着部３２１と、滑り防止部３２２を設けられ、ラチェットブロック３２の枢着部３２１が摺動部材３１に対して枢動することによって、操作部２１に近づけるかまたは引き離せるように、摺動部材３１に枢設されると共に、ラチェットブロック３２の滑り防止部３２２は選択より、摺動部材３１の第２側３１２と第２あご２４の滑り防止部２４２に接触するかまたは引き離し、ラチェットブロック３２の滑り防止部３２２は枢着部３２１が操作部２１の遠端に位置し、ラチェットブロック３２の滑り防止部３２２に複数の係合歯３２３を設けられ、ラチェットブロック３２の係合歯３２３の伸ばし方向は、摺動部材３１が第２あご２４に対する滑り移動方向に垂直しており、ラチェットブロック３２の係合歯３２３が選択により、第２あご２４の係合歯２４３に噛み合わせるかまたは引き離し、ラチェットブロック３２は第１あご２３の付近側に係止平面３２４を設けられ、係止平面３２４と駆動平面２３１が互いに対向されている。
【００１３】
弾性具３３は収容溝３１３に設けられ、弾性具３３の一端を縁止め３１４に係止していて、かつ他端は操作部２１を離れる方向に伸ばされ、本実施例において、弾性具３３は圧縮ばねを実施されている。
【００１４】
固定具３４を仮想貫通軸Ｌの軸方向に沿って貫通溝２４４に挿入し、固定具３４の一端を収容溝３１３に収容していて、かつ弾性具３３が縁止め３１４を離れる一端に係止され、本実施例において、固定具３４は円柱状を形成されている。
引き続き、図４ないし６、本発明の滑り防止効果を有するラチェットレンチの第１実施例による使用状態の動作図を参照する。ラチェットレンチ１０を使用するときには、まず工作物９０を駆動空間２５に装着して置き、工作物９０の反対する両側をそれぞれ第１あご２３の駆動平面２３１及び摺動部材３１の係止平面３２４に係止させて、ラチェットブロック３２の滑り防止部３２２を第２あご２４の滑り防止部２４２に接触させ、このとき、本体２０を正方向に回すことによって、工作物９０を回すことができる（図４に示す）。さらに、本体２０を逆方向に回すことによって、工作物９０がラチェットブロック３２を押し込み、摺動部材３１に対して枢動すると同時にラチェットブロック３２の滑り防止部３２２を第２あご２４の滑り防止部２４２から引き離して、摺動部材３１を操作部２１から遠ざける方向に連動し、ラチェットブロック３２を操作部２１から遠ざける方向に移動させて駆動空間２５を引き離して、工作物９０が本体２０に対して枢転し、ラチェット運動効果（図５と６に示す）を達成する。
【００１５】
本発明は前述した構造及びラチェットレンチ１０にラチェット運動効果を達成させることによって、ラチェットレンチ１０の構造を簡素化することができる。使用者がラチェットレンチ１０を正方向に回すと、ラチェットブロック３２の滑り防止部３２２が第２あご２４の滑り防止部２４２に接触され、爪車装置３０の移動を有効に防いで置き、使用者が工作物９０を安定に回すに備えて、ラチェットレンチ１０が提供する回しトルクを向上できる。さらに、ラチェットレンチ１０は固定具３４だけで弾性具３３の係止効果を提供できる。ラチェットレンチ１０の構造が単純で、しかも容易に組み立てることができ、ラチェットレンチ１０の生産速度を有効に向上できる。
【実施例２】
【００１６】
図７ないし８、本発明の滑り防止効果を有するラチェットレンチの第２実施例による立体分解図と、断面構造図を参照する。第２実施例は第１実施例とほぼ同じ、主な異なる点は、ラチェットブロック３２ａが摺動部材３１ａの付近側に弾性部材３２５ａを設けられ、弾性部材３２５ａは枢設部３２１ａが操作部２１ａの付近側に位置していて、弾性部材３２５ａの反対の両側がそれぞれラチェットブロック３２ａと摺動部材３１ａに押し込み、本実施例において、弾性部材３２５ａは圧縮ばねが実施されている。
【００１７】
弾性部材３２５ａからラチェットブロック３２ａに推力を提供しており、ラチェットブロック３２ａが自然状態のとき、ラチェットブロック３２ａの滑り止め部３２２ａが常に第２あご２４ａの滑り止め部２４２ａに接触していて、ラチェットブロック３２ａの滑り止め部３２２ａと第２あご２４ａの滑り止め部２４２ａの滑り防止効果を向上させ、ラチェットブロック３２ａが本体２０ａに対して移動されることを有効に防げる。
【実施例３】
【００１８】
図９ないし１１、本発明の滑り防止効果を有するラチェットレンチの第３実施例による立体分解図と、断面構造図と、使用態様図を参照する。本発明の第３実施例は第１実施例とほぼ同じ、主な異なる点として、滑り溝２４１ｂは第１あご２３ｂの付近側から第１あご２３ｂの反対側との間の距離が第１幅Ｗ１を形成し、摺動部材３１ｂは第１あご２３ｂの付近側から第１あご２３ｂの反対側との間の距離が第２幅Ｗ２を形成する。第２幅Ｗ２の長さが第１幅Ｗ１の長さの０．９５倍より小さい。本実施例において、第２幅Ｗ２の長さは第１幅Ｗ１の長さの０．８〜０．９倍の間である。ラチェットブロック３２ｂを常に摺動部材３１ｂの第２側３１２ｂに接続し合わせて一体の構造を形成され、ラチェットブロック３２ｂと摺動部材３１ｂが本体２０ｂに対して同期に移動することができる。
【００１９】
ラチェットブロック３２ｂと摺動部材３１ｂを合わせて一体の構造を形成して、爪車装置３０ｂの構造を有効に簡素化させ、組み立て作業を有効に加速することができる。
【実施例４】
【００２０】
引き続き図１２、本発明の滑り防止効果を有するラチェットレンチの第４実施例の断面構造図を参照する。本発明の第４実施例は第３実施例とほぼ同じ、主な異なる点は、彈性件３３ｃは操作部２１ｃの付近端が径方向に沿って第１直径Ｄ１を有し、弾性具３３ｃは操作部２１ｃの遠端が径方向に沿って第２直径Ｄ２を有し、第２直径Ｄ２は第１直径Ｄ１より小さい。
【００２１】
弾性具３３ｃは操作部２１ｃの付近端の直径が操作部２１ｃの遠端の直径より大きいため、弾性具３３ｃによって、摺動部材３１ｃが操作部２１ｃの付近端を第１あご２３ｃ寄りの方向に押し込み、摺動部材３１ｃが操作部２１ｃの遠端を第２あご２４ｃの方向に近寄せて、ラチェットブロック３２ｃが自然状態のときに、ラチェットブロック３２ｃの滑り防止部３２２ｃが常に第２あご２４ｃの滑り防止部２４２ｃに接触することができる。
【符号の説明】
【００２２】
１０      ラチェットレンチ
２０      本体
２１      操作部
２２      駆動部
２３      第１あご
２３１    駆動平面
２３２    逃げ溝
２４      第２あご
２４１    滑り溝
２４２    滑り防止部
２４３    係合歯
２４４    貫通溝
２５      駆動空間
３０      爪車装置
３１      摺動部材
３１１    第１側
３１２    第２側
３１３    収容溝
３１４    縁止め
３２      ラチェットブロック
３２１    枢着部
３２２    滑り防止部
３２３    係合歯
３２４    係止平面
３３      弾性具
３４      固定具
２０ａ    本体
２１ａ    操作部
２４ａ    第２あご
２４２ａ    滑り防止部
３１ａ    摺動部材
３２ａ    ラチェットブロック
３２１ａ    枢着部
３２２ａ    滑り防止部
３２５ａ    弾性体
２０ｂ    本体
２３ｂ    第１あご
２４１ｂ    滑り溝
３０ｂ    爪車装置
３１ｂ    摺動部材
３１２ｂ    第２側
３２ｂ      ラチェットブロック
２１ｃ      操作部
２３ｃ      第１あご
２４ｃ      第２あご
２４２ｃ    滑り防止部
３１ｃ      摺動部材
３２ｃ    ラチェットブロック
３２２ｃ  滑り防止部
３３ｃ    弾性具
Ｄ１      第１直径
Ｄ２      第２直径
Ｌ        仮想貫通軸
Ｗ１      第１幅
Ｗ２      第２幅
【図１】
2016036901.tif 000003
【図２】
2016036901.tif 000004
【図３】
2016036901.tif 000005
【図４】
2016036901.tif 000006
【図５】
2016036901.tif 000007
【図６】
2016036901.tif 000008
【図７】
2016036901.tif 000009
【図８】
2016036901.tif 000010
【図９】
2016036901.tif 000011
【図１０】
2016036901.tif 000012
【図１１】
2016036901.tif 000013
【図１２】
2016036901.tif 000014